【手続補正書】
【提出日】平成29年6月13日(2017.6.13)
【手続補正１】
【補正対象書類名】特許請求の範囲
【補正対象項目名】請求項９
【補正方法】変更
【補正の内容】
【請求項９】
請求項２〜５のいずれかに記載の表示装置において、
前記タッチ検出駆動電極は、画素電極が形成された基板と同一の基板上に形成され、前記第１選択回路は前記基板の短辺に沿った額縁領域に形成されており、かつ前記タッチ検出駆動電極が映像表示用の共通電極としても兼用される、表示装置。
【手続補正２】
【補正対象書類名】明細書
【補正対象項目名】００５１
【補正方法】変更
【補正の内容】
【００５１】
＜静電容量型タッチ検出（相互容量方式）の基本原理＞
図２（Ａ）〜（Ｃ）は、実施の形態１において用いられている静電容量型タッチ検出の基本原理を示す模式図である。図２（Ａ）において、ＴＬ（０）〜ＴＬ（ｐ）のそれぞれは、液晶パネル２に設けられた共通電極であり、ＲＬ（０）〜ＲＬ（ｐ）のそれぞれは、タッチ検出パネル部４に設けられた検出電極である。図２（Ａ）において、共通電極ＴＬ（０）〜ＴＬ（ｐ）のそれぞれは、列方向に延在し、行方向に平行して配置されている。また、検出電極ＲＬ（０）〜ＲＬ（ｐ）のそれぞれは、共通電極ＴＬ（０）〜ＴＬ（ｐ）と交差するように、行方向に延在し、列方向に平行して配置されている。検出電極ＲＬ（０）〜ＲＬ（ｐ）と共通電極ＴＬ（０）〜ＴＬ（ｐ）との間に隙間が生じるように、検出電極ＲＬ（０）〜ＲＬ（ｐ）は、共通電極ＴＬ（０）〜ＴＬ（ｐ）の上方に形成されている。
【手続補正３】
【補正対象書類名】明細書
【補正対象項目名】００６８
【補正方法】変更
【補正の内容】
【００６８】
この実施の形態１においては、図１で説明したタッチ制御装置７は、１個の半導体装置により構成されている。図５において、７は、図１に示したタッチ制御装置７を構成している半導体装置（以下、タッチ用半導体装置とも称する）を示している。タッチ用半導体装置７は、特に制限されないが、ＴＦＴ基板３００に固定されたフレキシブル基板５０１に固定されている。フレキシブル基板５０１には、コネクタ５０３が設けられており、このコネクタ５０３には、タッチ用のフレキシブル基板５０２の一方の端部が装着される。タッチ用のフレキシブル基板５０２の他方の端部は、ＣＦガラス基板４００に配置され、信号配線５０４を介して検出電極ＲＬ（０）〜ＲＬ（ｐ）に電気的に接続されている。コネクタ５０３は、タッチ用半導体装置７の端子に接続されている。これにより、図１で説明したように、検出信号Ｒｘ（０）〜Ｒｘ（ｐ）は、タッチ用のフレキシブル基板５０２およびコネクタ５０３を介して、検出電極ＲＬ（０）〜ＲＬ（ｐ）からタッチ用半導体装置７へ伝達される。
【手続補正４】
【補正対象書類名】明細書
【補正対象項目名】００９０
【補正方法】変更
【補正の内容】
【００９０】
８個の単位選択回路ＵＴＳ０〜ＵＴＳ７のそれぞれは、それぞれに対応する共通電極ＴＬ（０）〜ＴＬ（７）と、信号配線ＬＴＸ１〜ＬＴＸ４と電圧配線ＬＶＳとの間に接続され、駆動スイッチ信号ＴＳＷ１〜ＴＳＷ４の論理値に従って、対応する共通電極を信号配線ＬＴＸ１〜ＬＴＸ４または電圧配線ＬＶＳへ電気的に接続する。信号配線ＬＴＸ１は、タッチ用半導体装置７の外部端子ＴｘＰ１に接続され、信号配線ＬＴＸ２は、タッチ用半導体装置７の外部端子ＴｘＰ２に接続されている。以下、同様に、信号配線ＬＴＸ３は、外部端子ＴｘＰ３に、信号配線ＬＴＸ４は、外部端子ＴｘＰ４に接続されている。また、電圧配線ＬＶＳには、接地電圧Ｖｓが供給されている。これにより、それぞれの単位選択回路ＵＴＳ０〜ＵＴＳ７には、信号配線ＬＴＸ１〜ＬＴＸ４を介して駆動信号Ｔｓｉｇ１〜Ｔｓｉｇ４が供給され、電圧配線ＬＶＳを介して接地電圧Ｖｓが供給される。
【手続補正５】
【補正対象書類名】明細書
【補正対象項目名】０１３３
【補正方法】変更
【補正の内容】
【０１３３】
＜液晶表示装置の要部構成＞
図１４は、実施の形態１に係わる液晶表示装置１の構成を示すブロック図である。図１４には、図９に示した選択回路ＴＳＣに加えて、共通電極ＴＬ（０）〜ＴＬ（７）と選択回路ＴＳＣとの間に接続されたレベルシフト＆バッファＬＢが示されている。このレベルシフト＆バッファＬＢは、選択回路ＴＳＣから供給される駆動信号に従って、共通電極ＴＬ（０）〜ＴＬ（７）を、交流電流によってあるいは直流電流によって駆動する。駆動に際しては、供給されている駆動信号の電圧を変換して供給する。また、同図において縦方向に延在して配置されている共通電極ＴＬ（０）〜ＴＬ（７）を駆動することができるように、駆動能力を高めるようにバッファを有している。
【手続補正６】
【補正対象書類名】明細書
【補正対象項目名】０２０３
【補正方法】変更
【補正の内容】
【０２０３】
単位バッファＵＬＢ０は、２個のロジック回路ＬＧ１、ＬＧ２と、それぞれ１対のノードと制御ノードとを有するスイッチＳ６０〜Ｓ６５と、それぞれ１対のノードと制御ノードとを有するスイッチＳ７０〜Ｓ７５と、それぞれ１対のノードと制御ノードとを有するスイッチＳ８０〜Ｓ８５とを備えている。
【手続補正７】
【補正対象書類名】明細書
【補正対象項目名】０２４３
【補正方法】変更
【補正の内容】
【０２４３】
粗く検出を行った結果、左側の領域に配置されている共通電極の近傍がタッチされていると判定された場合、図２１（Ｂ）に示す状態にする。すなわち、状態信号Ｓｔａｔｕｓ１、Ｓｔａｔｕｓ２を論理値“１”、“０”にする。これにより、選択回路ＴＳＣは、タッチ半導体装置７の外部端子Ｐ１〜Ｐ８のそれぞれを、共通電極ＴＬ（０）〜ＴＬ（７）に接続する。このように接続した状態で、外部端子Ｐ１〜Ｐ８から共通電極ＴＬ（０）〜ＴＬ（７）へ駆動信号Ｔｓｉｇ１〜Ｔｓｉｇ８を供給する。この場合、図２０で説明したように、クロック信号が、順次駆動信号Ｔｓｉｇ１〜Ｔｓｉｇ８となるようにする。駆動信号Ｔｓｉｇ１〜Ｔｓｉｇ８の電圧が変化することにより、共通電極ＴＬ（０）〜ＴＬ（７）の電圧が変化し、タッチの有無に応じて生じる電位変化量を、例えば実施の形態１で説明した相互容量方式で検出する。これにより、共通電極ＴＬ（０）〜ＴＬ（７）のいずれの近傍がタッチされたかを検出することが可能となる。タッチされた位置の検出が完了したら、再び、図２１（Ａ）の状態へ戻る。図２１においては、この２つの状態の遷移が矢印Ａ１で示されている。
【手続補正８】
【補正対象書類名】明細書
【補正対象項目名】０２４４
【補正方法】変更
【補正の内容】
【０２４４】
また、粗く検出を行った結果、中央の領域に配置されている共通電極の近傍がタッチされていると判定された場合、図２１（Ｃ）に示す状態にする。すなわち、状態信号Ｓｔａｔｕｓ１、Ｓｔａｔｕｓ２を論理値“０”、“１”にする。これにより、選択回路ＴＳＣは、タッチ半導体装置７の外部端子Ｐ１〜Ｐ８のそれぞれを、共通電極ＴＬ（４）〜ＴＬ（１１）に接続する。このように接続した状態で、外部端子Ｐ１〜Ｐ８から共通電極ＴＬ（４）〜ＴＬ（１１）へ駆動信号Ｔｓｉｇ１〜Ｔｓｉｇ８を供給する。この場合も、駆動信号Ｔｓｉｇ１〜Ｔｓｉｇ８の順で、クロック信号となるようにする。駆動信号Ｔｓｉｇ１〜Ｔｓｉｇ８の電圧が変化することにより、共通電極ＴＬ（４）〜ＴＬ（１１）の電圧が変化し、タッチの有無に応じて生じる電位変化量を、例えば実施の形態１で説明した相互容量方式で検出する。これにより、共通電極ＴＬ（４）〜ＴＬ（１１）のいずれの近傍がタッチされたかを検出することが可能となる。タッチされた位置の検出が完了したら、再び、図２１（Ａ）の状態へ戻る。図２１においては、この２つの状態の遷移が矢印Ａ２で示されている。
【手続補正９】
【補正対象書類名】明細書
【補正対象項目名】０２４５
【補正方法】変更
【補正の内容】
【０２４５】
さらに、粗く検出を行った結果、右側の領域に配置されている共通電極の近傍がタッチされていると判定された場合、図２１（Ｃ）に示す状態にする。すなわち、状態信号Ｓｔａｔｕｓ１、Ｓｔａｔｕｓ２を論理値“１”、“１”にする。これにより、選択回路ＴＳＣは、タッチ半導体装置７の外部端子Ｐ１〜Ｐ８のそれぞれを、共通電極ＴＬ（８）〜ＴＬ（１５）に接続する。このように接続した状態で、外部端子Ｐ１〜Ｐ８から共通電極ＴＬ（８）〜ＴＬ（１５）へ駆動信号Ｔｓｉｇ１〜Ｔｓｉｇ８を供給する。この場合も、駆動信号Ｔｓｉｇ１〜Ｔｓｉｇ８の順で、クロック信号となるようにする。駆動信号Ｔｓｉｇ１〜Ｔｓｉｇ８の電圧が変化することにより、共通電極ＴＬ（８）〜ＴＬ（１５）の電圧が変化し、タッチの有無に応じて生じる電位変化量を、例えば実施の形態１で説明した相互容量方式で検出する。これにより、共通電極ＴＬ（８）〜ＴＬ（１５）のいずれの近傍がタッチされたかを検出することが可能となる。タッチされた位置の検出が完了したら、再び、図２１（Ａ）の状態へ戻る。図２１においては、この２つの状態の遷移が矢印Ａ３で示されている。
【手続補正１０】
【補正対象書類名】明細書
【補正対象項目名】０２４７
【補正方法】変更
【補正の内容】
【０２４７】
同様に、図２１（Ｄ）で述べたように右側の領域の検出を行った後、図２１（Ｃ）で述べたように中央の領域の検出を行うようにしてもよい。反対に、図２１（Ｃ）で述べたように中央の領域の検出を行った後、図２１（Ｄ）で述べたように右側の領域の検出を行ってもよい。この状態の遷移は、図２１では矢印Ｂ２で示されている。